(57)【要約】【課題】ガイドでの焼き付きの発生を防止できる円板状媒体繰出装置を提供する。【解決手段】円板状媒体繰出装置である硬貨繰出装置40は、硬貨Ｃを繰り出す繰出手段43と、繰出手段43から繰り出される硬貨Ｃの繰出方向f1に、繰出手段43と対向して設けられるガイド60とを備える。ガイド60は、繰出方向f1に回転可能に設けられる回転体65を有する。【選択図】図３
2020112991.tif 000002
【特許請求の範囲】
【請求項１】
円板状媒体を繰り出す繰出手段と、
前記繰出手段から繰り出される前記円板状媒体の繰出方向に、前記繰出手段と対向して設けられるガイドとを備え、
前記ガイドは、前記繰出方向に回転可能に設けられる回転体を有する
ことを特徴とする円板状媒体繰出装置。
【請求項２】
前記ガイドは、前記回転体を支持する軸を有し、
前記回転体は、前記円板状媒体の側面が接触することで前記軸を中心に回転する
ことを特徴とする請求項１記載の円板状媒体繰出装置。
【請求項３】
前記繰出手段から前記ガイドに沿って設けられる搬送路を備え、
前記ガイドは、前記搬送路に固定され前記回転体を回転可能に支持する軸を有する
ことを特徴とする請求項１記載の円板状媒体繰出装置。
【請求項４】
前記円板状媒体を入金する入金部を備え、
前記繰出手段は、前記入金部から前記円板状媒体を１枚ずつ繰り出す
ことを特徴とする請求項１ないし３いずれか一記載の円板状媒体繰出装置。
【請求項５】
前記繰出手段から前記ガイドに沿って設けられる搬送路と、
前記搬送路上に移動する移動部材、およびこの移動部材から突設された突起部を有し、この突起部が前記搬送路上に移動するとともに前記円板状媒体に接触して前記円板状媒体を搬送する搬送手段と
を備えることを特徴とする請求項１、２、４いずれか一記載の円板状媒体繰出装置。
【請求項６】
硬貨を入金する入金部と、
前記入金部から前記硬貨を繰り出す繰出手段と、
前記繰出手段から繰り出される前記硬貨の繰出方向に対向して設けられるガイドと、
前記ガイドに沿って設けられる搬送路と、
前記搬送路において前記硬貨を識別する識別部と、
前記識別部によって識別された前記硬貨を収納する収納部とを備え、
前記ガイドは、前記繰出方向に回転可能に設けられる回転体を有する
ことを特徴とする硬貨処理装置。
【請求項７】
円板状媒体を繰出手段によって繰り出すステップと、
前記繰出手段から繰り出される前記円板状媒体の繰出方向に前記繰出手段と対向して設けられ、前記繰出方向に回転可能に設けられる回転体を有するガイドによって、前記繰出手段から繰り出される前記円板状媒体を案内するステップと
を備えることを特徴とする円板状媒体繰出方法。
【発明の詳細な説明】
【技術分野】
【０００１】
本発明は、円板状媒体を繰り出す円板状媒体繰出装置および円板状媒体繰出方法、並びに硬貨を処理する硬貨処理装置に関する。
【背景技術】
【０００２】
従来、例えば、円板状媒体として硬貨を繰り出す繰出装置がある。この繰出装置では、回転円盤を用いた第１の繰出手段によって硬貨を繰り出し、この繰出手段から繰り出される硬貨をさらに第２の繰出手段である送込みカムによって所定のタイミングで硬貨を搬送路上に繰り出している。そして、搬送路上に繰り出された硬貨は、硬貨の繰出方向に対向して設けられるガイドによって案内される。
【０００３】
ガイドは、搬送路上に固定される板状のガイド部材を有し、このガイド部材に繰出手段から繰り出される硬貨の側面が接触し、このガイド部材によって硬貨を案内している。
【先行技術文献】
【特許文献】
【０００４】
【特許文献１】特許第５９９２２６９号公報
【発明の概要】
【発明が解決しようとする課題】
【０００５】
しかしながら、繰出装置の処理能力の向上のために、繰出手段から複数の硬貨が連続的に高速で繰り出されると、硬貨がガイドに接触した際の摩擦によって硬貨が削れるとともに削れた金属粉がガイドに焼き付く現象が発生しやすくなる。ガイドに金属粉が焼き付くと、硬貨が引っ掛かったり、硬貨の繰り出しが停滞するなど、硬貨の繰り出しに障害が生じる。
【０００６】
本発明は、ガイドでの焼き付きの発生を防止できる円板状媒体繰出装置、硬貨処理装置および円板状媒体繰出方法を提供することを目的とする。
【課題を解決するための手段】
【０００７】
本発明の円板状媒体繰出装置は、円板状媒体を繰り出す繰出手段と、前記繰出手段から繰り出される前記円板状媒体の繰出方向に、前記繰出手段と対向して設けられるガイドとを備え、前記ガイドは、前記繰出方向に回転可能に設けられる回転体を有するものである。
【０００８】
さらに、前記ガイドは、前記回転体を支持する軸を有し、前記回転体は、前記円板状媒体の側面が接触することで前記軸を中心に回転するものである。
【０００９】
さらに、前記繰出手段から前記ガイドに沿って設けられる搬送路を備え、前記ガイドは、前記搬送路に固定され前記回転体を回転可能に支持する軸を有するものである。
【００１０】
さらに、前記円板状媒体を入金する入金部を備え、前記繰出手段は、前記入金部から前記円板状媒体を１枚ずつ繰り出すものである。
【００１１】
さらに、前記繰出手段から前記ガイドに沿って設けられる搬送路と、前記搬送路上に移動する移動部材、およびこの移動部材から突設された突起部を有し、この突起部が前記搬送路上に移動するとともに前記円板状媒体に接触して前記円板状媒体を搬送する搬送手段とを備えるものである。
【００１２】
また、本発明の硬貨処理装置は、硬貨を入金する入金部と、前記入金部から前記硬貨を繰り出す繰出手段と、前記繰出手段から繰り出される前記硬貨の繰出方向に対向して設けられるガイドと、前記ガイドに沿って設けられる搬送路と、前記搬送路において前記硬貨を識別する識別部と、前記識別部によって識別された前記硬貨を収納する収納部とを備え、前記ガイドは、前記繰出方向に回転可能に設けられる回転体を有するものである。
【００１３】
また、本発明の円板状媒体繰出方法は、円板状媒体を繰出手段によって繰り出すステップと、前記繰出手段から繰り出される前記円板状媒体の繰出方向に前記繰出手段と対向して設けられ、前記繰出方向に回転可能に設けられる回転体を有するガイドによって、前記繰出手段から繰り出される前記円板状媒体を案内するステップとを備えるものである。
【発明の効果】
【００１４】
本発明によれば、ガイドでの焼き付きの発生を防止できる。
【図面の簡単な説明】
【００１５】
【図１】本発明の一実施の形態を示す貨幣処理機の斜視図である。
【図２】同上硬貨処理機が備える硬貨処理装置の平面図である。
【図３】同上硬貨処理装置が備える硬貨繰出装置の平面図である。
【発明を実施するための形態】
【００１６】
以下、本発明の一実施の形態を、図面を参照して説明する。
【００１７】
図１に貨幣処理機10の斜視図を示す。この貨幣処理機10は、硬貨や紙幣等の貨幣の入金処理や計数処理を行うものである。この貨幣処理機10は、例えば、スーパーマーケットやショッピングモール等の商業施設における出納室に設置されたり、自動販売機のメンテナンス会社の営業所に設置されたりして、係員が商業施設の売場（レジ）や自動販売機から回収してきた売上金を入金する。
【００１８】
貨幣処理機10は、略直方体形状の筐体11、この筐体11を前面側から見て左側領域に設けられた硬貨の入金処理や計数処理を行う硬貨処理装置12、および筐体11を前面側から見て右側領域に設けられた紙幣の入金処理や計数処理を行う紙幣処理装置13等を備えている。
【００１９】
筐体11の硬貨処理装置12が設けられる左側領域において、筐体11の上面には、外部から硬貨を投入する入金部である硬貨投入部15、およびこの硬貨投入部15を開閉するシャッタ16が設けられ、また、筐体11の前面には、投入された硬貨のうちのリジェクト硬貨が返却される硬貨リジェクト部17、および入金キャンセルによって投入された硬貨が返却される硬貨返却部18が設けられている。硬貨返却部18は、返却硬貨を収納するボックスであり、筐体11の前面から引き出して返却硬貨を取出可能とする。
【００２０】
筐体11の紙幣処理装置13が設けられる右側領域において、筐体11の上面には、外部から紙幣を投入する紙幣投入部19、およびこの紙幣投入部19を開閉するシャッタ20が設けられ、また、筐体11の前面には、投入された紙幣のうちのリジェクト紙幣が返却される紙幣リジェクト部21、および入金キャンセルによって投入された紙幣が返却される紙幣返却部22が設けられている。紙幣返却部22は、投入された紙幣を識別した後に一時保留する一時保留部でもあり、筐体11の前面から引き出して返却紙幣を取出可能とする。
【００２１】
筐体11の上部には、硬貨処理装置12や紙幣処理装置13にアクセスするために開閉可能とする上部カバー23が設けられている。また、筐体11の前面下部には、入金された硬貨や紙幣を回収するために警送会社の警備員等の所定の権限を有する者によって開放可能とする扉24が設けられている。筐体11の扉24の内側には、入金された硬貨を収納する収納部としての硬貨カセット25、および入金された紙幣を収納する紙幣カセット26が着脱可能に配置されている。
【００２２】
筐体11の上部には、上部カバー23よりも前側の固定位置に、入金する貨幣の識別結果等を表示したり操作するタッチパネルからなる操作表示部27や入金確定等を操作する操作キー28が設けられている。さらに、上部カバー23の後部側には、取引内容等をレシートに印字出力する印字部29、操作者が保有するＩＤカードを読み取るカードリーダ30が設けられているとともに、紙幣投入部19のシャッタ20が設けられている。
【００２３】
そして、硬貨処理装置12では、硬貨投入部15に投入された硬貨を１枚ずつ分離し、識別して一時保留部に一時保留し、入金承認時に一時保留部の硬貨を硬貨カセット25に収納し、返却時に一時保留部の硬貨を硬貨返却部18に返却する。また、紙幣処理装置13では、紙幣投入部19に投入された紙幣を１枚ずつ識別して一時保留部（紙幣返却部22と共用）に一時保留し、入金承認時に一時保留部の紙幣を紙幣カセット26に搬送して収納し、返却時に紙幣返却部22を筐体11から引出可能とする。さらに、警送会社の警備員等の所定の権限を有する者により、扉24が開放され、筐体11内から硬貨カセット25および紙幣カセット26が取り出されて回収される。回収後には、空の硬貨カセット25および紙幣カセット26が筐体11内に装填され、扉24が閉鎖される。
【００２４】
次に、図２に硬貨処理装置12の平面図を示し、図３に硬貨処理装置12が備える円板状媒体繰出装置である硬貨繰出装置40の平面図を示す。
【００２５】
硬貨処理装置12は、筐体11に設置されるベース41、硬貨投入部15に投入された円板状媒体である硬貨Ｃを受け入れて貯留する貯留部42、この貯留部42から硬貨Ｃを１枚ずつ繰り出す繰出手段43、この繰出手段43によって繰り出される硬貨Ｃを受け入れる搬送路44、この搬送路44内の硬貨Ｃを搬送する搬送手段45、この搬送手段45に繰出手段43によって繰り出された硬貨Ｃを１枚ずつ受け渡す受渡手段46、搬送路44を搬送される硬貨Ｃを識別する識別部47、および識別後の硬貨Ｃを種類別に分岐する複数の分岐部48等を備えている。そして、硬貨繰出装置40は、硬貨投入部15、貯留部42、繰出手段43および搬送路44の一部等によって構成されている。
【００２６】
貯留部42は、硬貨Ｃを貯留するホッパ50を有している。ホッパ50の中央下部には、貯留した硬貨Ｃを繰出手段43に供給する供給口51が設けられている。ホッパ50は、繰出手段43の上方に配置されるように、ベース41上に支持されている。
【００２７】
また、繰出手段43は、ベース41に対して回転可能に設けられた回転円盤54、およびこの回転円盤54の周囲に配置される周壁部55を有している。回転円盤54は、ホッパ50の供給口51の下方に配置されるとともにホッパ50の下端部との間に硬貨Ｃが通過する所定の間隔をあけて配置されている。回転円盤54は、モータ等を備える駆動機構によって硬貨Ｃを繰り出す方向に回転される。周壁部55の一部には搬送路44に連通する切欠部が設けられている。この周壁部55の切欠部には、回転円盤54の上方域に配置され、回転円盤54の上面との間に厚み方向に１枚の硬貨Ｃのみが通過可能とする厚み規制部材56が設けられている。そして、繰出手段43では、回転円盤54の回転による遠心力により、回転円盤54上の硬貨Ｃが周壁部55に沿って移動するとともに厚み規制部材56の下側を１枚ずつ通過して搬送路44に繰り出される。
【００２８】
また、搬送路44は、繰出手段43から繰出方向f1に繰り出される硬貨Ｃを受け入れる上流側搬送路部44a、およびこの上流側搬送路部44aから下流側に硬貨Ｃを搬送方向f2に搬送する下流側搬送路部44bを有している。搬送路44は、回転円盤54の上面と同一面に形成される搬送路面59、およびこの搬送路面59の幅方向両側に配置されるガイド60，61を有している。
【００２９】
一側のガイド60は、繰出手段43からの硬貨Ｃの繰出方向f1に対向されている。一側のガイド60は、繰出方向f1の上流側に配置される上流側ガイド部材62、この上流側ガイド部材62とは別体で上流側ガイド部材62との間に隙間63をあけて上流側ガイド部材62の繰出方向f1の下流側に配置されるガイド部材である下流側ガイド部材64、および上流側ガイド部材62と下流側ガイド部材64との間で隙間63に配置される回転体65を有している。
【００３０】
上流側ガイド部材62は、板状に形成され、下流側の端部側がベース41上に固定され、上流側の端部側が回転円盤54の上方域に配置されている。上流側ガイド部材62の側面には、搬送路44内に臨んで硬貨Ｃの側面を案内するガイド面62aが設けられている。ガイド面62aは硬貨Ｃの移動方向が繰出方向f1から搬送方向f2に向けて円滑に変更されるように曲面状に形成されている。
【００３１】
下流側ガイド部材64は、板状に形成され、ベース41上に固定されている。下流側ガイド部材64には、搬送路44内に臨んで硬貨Ｃの側面を案内する搬送基準面であるガイド面64aが設けられている。
【００３２】
上流側ガイド部材62と下流側ガイド部材64との間の隙間63は、上流側ガイド部材62と回転体65との間の搬送用隙間部66を有している。
【００３３】
回転体65は、繰出手段43からの硬貨Ｃの繰出方向f1に対向する位置に回転可能に設けられている。回転体65は、下流側ガイド部材64よりも繰出方向f1の上流側に回転可能に設けられるものであって、上流側ガイド部材62と下流側ガイド部材64との間の隙間63に回転可能に設けられている。さらに、回転体65は、一側のガイド60が有する軸67によって回転可能に設けられている。軸67は、搬送路44の搬送路面59に垂直に固定されている。回転体65は、軸67の周囲に回転可能に設けられており、繰出手段43によって繰り出される硬貨Ｃの側面が接触することで軸67を中心に回転する。なお、回転体65は、筒体で構成して軸67の周囲に回転可能に配置するだけでもよいし、ベアリングを備えて軸67の周囲に回転可能に設けてもよい。また、回転体65は、金属材料、樹脂材料等のいずれの材料で形成されていてもよい。
【００３４】
他側のガイド61は、一側のガイド60に対向し、一側のガイド60との間に繰出手段43から繰り出される硬貨Ｃを受け入れて搬送可能とする位置に配置されている。他側のガイド61は、繰出方向f1の上流側に配置される上流側ガイド部材68、この上流側ガイド部材68の下流側に設けられた下流側ガイド部材69、および上流側ガイド部材68と下流側ガイド部材69との間に設けられた幅寄せガイド部材70を有している。幅寄せガイド部材70は、支軸71を支点として回動可能とするとともにスプリング等の付勢部材によって搬送路44内に進入する方向に付勢されており、繰出手段43から繰り出された硬貨Ｃを一側のガイド60に幅寄せし、つまり下流側ガイド部材64のガイド面64aに沿わせるように幅寄せする。
【００３５】
また、搬送手段45は、移動部材であるベルト74、およびこのベルト74を回動可能に張設する複数のプーリ75を備えている。なお、移動部材としては、ベルト74に限らず、チェーン等でもよい。
【００３６】
ベルト74は、無端状で、内周側に歯を有する歯付ベルト（タイミングベルト）が用いられている。搬送路面59に対向されるベルト74の下面には、複数の突起部76がベルト長手方向に等間隔毎に突設されている。
【００３７】
プーリ75は、ベルト74の歯が噛み合う歯付プーリ（タイミングプーリ）が用いられている。プーリ75は、搬送路44の始端側位置に配置されるプーリ75a、搬送路44の終端側位置に配置されるプーリ75b、搬送路44の外側部で終端側近傍および始端側近傍の各位置にそれぞれ配置されるプーリ75c，75dを有している。これらプーリ75によってベルト74が張設され、搬送路44の始端側位置のプーリ75aと搬送路44の終端側位置のプーリ75bとの間に搬送路44上に配置されて硬貨Ｃを搬送するベルト部位が形成されている。
【００３８】
プーリ75は、ベース41に垂直に設けられる軸77を中心に回転可能としている。いずれか１つのプーリ75がモータ等によって回転駆動されることにより、ベルト74を搬送方向f2に対応して回動させる。
【００３９】
プーリ75に張設されたベルト74は、搬送路面59との間に硬貨Ｃが厚み方向に１枚入る間隙が形成されている。つまり、ベルト74の下面と搬送路面59との間の間隔は、１枚の硬貨Ｃの厚みよりも広く２枚分の硬貨Ｃの厚みよりも狭い寸法となっている。さらに、ベルト74の突起部76と搬送路面59との間の間隔は、１枚の硬貨Ｃの厚みよりも小さい寸法となっている。
【００４０】
搬送路44の始端側位置に配置されるプーリ75aの軸77は、上流側ガイド部材62と下流側ガイド部材64との間の隙間63に配置されている。より具体的には、回転体65と下流側ガイド部材64の上流側端部との間に配置されている。この軸77の周囲には回転部78が回転可能に配置されている。
【００４１】
そして、ベルト74は、搬送路44の始端側位置に配置されるプーリ75aにより、搬送路44の外側部から搬送路44の始端側に進入し、搬送路44内を終端側へ向けて移動する。このとき、ベルト74の下面から突出する突起部76は、上流側ガイド部材62と下流側ガイド部材64との間の隙間63を通過して搬送路44の始端側に進入する。すなわち、突起部76は、上流側ガイド部材62と回転体65との間の搬送用隙間部66を通過して搬送路44の始端側に進入する。
【００４２】
また、受渡手段46は、一側のガイド60の上流側ガイド部材62、回転体65および下流側ガイド部材64の上流側端部に対向して、他側のガイド61側に配置されている。受渡手段46は、ベース41に垂直に設けられる軸81を中心に回転する円板状のカム82を有している。カム82は、搬送路面59との間に硬貨Ｃが厚み方向に１枚進入する間隔をあけて配置されている。カム82の下面周辺部には、硬貨Ｃの側面に当接する複数の当接部83が周方向に等間隔毎に突設されている。カム82は、ベルト74の回転と同期して回転し、繰出手段43によって繰り出される硬貨Ｃを１枚ずつ当接部83と当接部83との間に受け入れるとともに受け入れた硬貨Ｃを１枚ずつベルト74の突起部76と突起部76との間に送り込む。
【００４３】
また、識別部47は、材質センサやイメージセンサ等が用いられ、搬送路44内をベルト74によって搬送される硬貨Ｃの金種、真偽、正損等を識別する。
【００４４】
また、分岐部48は、本実施の形態では７つの分岐部48を備えている。例えば６金種分の６つの金種別の分岐部48と、識別部47で偽貨と識別されたり識別できなかった硬貨Ｃをリジェクト硬貨として分岐するリジェクト用の分岐部48を備えている。リジェクト用の分岐部48は、搬送方向f2の上流側または下流側のいずれかに設けられている。
【００４５】
分岐部48は、搬送路面59に設けられた分岐孔86、およびこの分岐孔86を開閉する図示しない分岐部材を有している。各分岐孔86の搬送方向f2の上流側には、搬送される硬貨Ｃを検知するセンサ87が設けられている。そして、各分岐部48は、識別部47の識別結果およびセンサ87の検知に基づいて、分岐対象の硬貨Ｃが搬送されてくると、分岐部材が開放移動し、分岐対象の硬貨Ｃを分岐孔86に分岐し、また、分岐対象外の硬貨Ｃが搬送されてくると、分岐部材は閉鎖状態を維持し、分岐対象外の硬貨Ｃを下流側に通過させる。
【００４６】
次に、硬貨処理装置12の動作について説明する。
【００４７】
まず、硬貨処理装置12の全体の動作を説明すると、操作者によって、硬貨Ｃの入金が操作され、硬貨投入部15に入金する硬貨Ｃが投入されることにより、入金動作を開始する。
【００４８】
硬貨投入部15に投入された硬貨Ｃは、貯留部42のホッパ50に受け入れられ、回転円盤54上に供給される。
【００４９】
入金動作を開始すると、ベルト74およびカム82が回転するとともに、回転円盤54が回転する。回転円盤54の回転により、回転円盤54上の硬貨Ｃが１枚ずつ搬送路44に繰り出される。カム82の回転により、回転円盤54から繰り出された硬貨Ｃが１枚ずつ分離されてベルト74の突起部76間に送り込む。ベルト74の突起部76で硬貨Ｃを押動しながら搬送方向f2に搬送する。ベルト74で搬送する硬貨Ｃを識別部47で識別し、識別結果に応じて該当する分岐部48で分岐する。
【００５０】
リジェクト硬貨は、分岐部48で分岐されて硬貨リジェクト部17に返却する。正常な硬貨Ｃは、分岐部48で分岐されて一時保留部に保留する。
【００５１】
投入された全ての硬貨Ｃの識別後、入金が承認されれば、一時保留部の硬貨Ｃを硬貨カセット25に送り込んで収納する。また、入金がキャンセルされた場合には、一時保留部の硬貨Ｃを硬貨返却部18に送り込み、硬貨返却部18を筐体11から引き出すことによって硬貨Ｃを取出可能とする。
【００５２】
続いて、図３を参照して硬貨繰出装置40の動作を説明する。
【００５３】
回転円盤54が回転すると、回転による遠心力により、回転円盤54上の硬貨Ｃが周壁部55に沿って移動するとともに厚み規制部材56の下側を１枚ずつ通過して搬送路44に繰り出される。
【００５４】
搬送路44に繰り出される硬貨Ｃは、一側の上流側ガイド部材62と他側の上流側ガイド部材68との間を通じて繰出方向f1に移動する。
【００５５】
繰出方向f1に移動する硬貨Ｃは、カム82の隣り合う当接部83間に進入する。カム82は硬貨Ｃを繰り出す方向に回転するので、カム82の当接部83が硬貨Ｃの後側に当接し、この硬貨Ｃを繰出方向f1に向けて押動する。
【００５６】
カム82の当接部83で繰出方向f1に押動される硬貨Ｃは、その硬貨Ｃの側面が上流側ガイド部材62と下流側ガイド部材64との間の隙間63に回転可能に設けられている回転体65に接触しながら移動し、ベルト74の移動方向に隣り合う突起部76間に送り込まれる。これにより、ベルト74の突起部76が硬貨Ｃの後側に接触し、硬貨Ｃを搬送方向f2に向けて搬送する。また、ベルト74の突起部76で押動される硬貨Ｃは、他側のガイド61の幅寄せガイド部材70によって一側のガイド60の下流側ガイド部材64に幅寄せされる。
【００５７】
回転円盤54から繰り出される後続の硬貨Ｃは、先行する硬貨Ｃを押動する当接部83とカム82の回転方向上流側の当接部83との間に進入する。したがって、カム82によって回転円盤54から繰り出される硬貨Ｃが１枚ずつ分離されてベルト74の長手方向に隣り合う突起部76間に送り込まれる。
【００５８】
また、一側のガイド60には、ベルト74の突起部76が搬送路44内に進入するための隙間63が設けられている。つまり、上流側ガイド部材62と下流側ガイド部材64との間に隙間63が設けられている。
【００５９】
本実施の形態では、隙間63に回転体65を設けているが、仮に、回転体65が設けられない場合には、回転体65の位置まで下流側ガイド部材64の上流側の端部を設けることになる。この場合、上流側ガイド部材62に沿って移動する硬貨Ｃの側面が、隙間63を介して離れている下流側ガイド部材64の上流側の端部に衝突し、強い摩擦が生じる。その摩擦によって硬貨Ｃが削れるとともに削れた硬貨Ｃの金属粉が下流側ガイド部材64等に焼き付く現象が発生しやすくなる。下流側ガイド部材64に金属粉が焼き付くと、硬貨Ｃが引っ掛かったり、硬貨Ｃの繰り出しが停滞しやすくなり、硬貨Ｃの繰り出しに障害が生じる。
【００６０】
本実施の形態では、下流側ガイド部材64よりも繰出方向f1の上流側であって、上流側ガイド部材62と下流側ガイド部材64との間の隙間63に回転体65を設けている。この場合、上流側ガイド部材62に沿って移動する硬貨Ｃの側面は、隙間63（搬送用隙間部66）を介して離れている回転体65に接触するが、硬貨Ｃとの接触で回転体65が回転することにより、硬貨Ｃに摩擦が生じるのが軽減され、硬貨Ｃが削れて金属粉が発生するのも軽減され、ガイド60での焼き付きの発生を防止できる。
【００６１】
なお、回転体65と下流側ガイド部材64との間にはプーリ75の軸77が配置されるため、下流側ガイド部材64を配置することができない。このプーリ75の軸77には、回転部78を回転可能に設けているため、硬貨Ｃの側面が回転部78に接触した場合には、回転部78が回転することにより、硬貨Ｃに摩擦が生じるのが防止される。そのため、プーリ75の軸77の位置でも、ガイド60の焼き付きの発生を防止できる。
【００６２】
このように、本実施の形態の硬貨繰出装置40では、ガイド60が繰出方向F1に回転可能に設けられる回転体65を有するため、ガイド60での焼き付きの発生を防止できる。さらに、下流側ガイド部材64よりも繰出方向f1の上流側であって、上流側ガイド部材62と下流側ガイド部材64との間の隙間63に回転体65を設けているため、ガイド60での焼き付きの発生を防止できる。
【００６３】
そのため、繰出手段43から複数の硬貨Ｃを連続的に高速で繰り出しても、ガイド60での焼き付きの発生を防止できることから、硬貨繰出装置40の処理能力を向上できる。
【００６４】
また、隙間63はベルト74の突起部76が搬送路44上に移動するためにガイド60に設けなければならないが、回転体65を備えることにより、ガイド60での焼き付きの発生を防止できる。
【００６５】
また、回転体65は、硬貨Ｃの側面が接触することで軸67を中心に回転するため、硬貨Ｃに摩耗が生じるのを軽減できる。
【００６６】
そして、この硬貨繰出装置40を備えた硬貨処理装置12は、硬貨繰出装置40の処理能力の向上に伴って、処理能力を向上できる。
【００６７】
なお、円板状媒体としては、硬貨Ｃに限らず、遊技施設で使用される遊技媒体等でもよい。
【００６８】
また、繰出手段43は、回転円盤54によって硬貨Ｃを１枚ずつ繰り出す構成に限らず、貯留部42の底面に配置され繰出方向に回転するベルトと、このベルトの繰出方向の上方に配置される逆転ローラとで、硬貨Ｃを１枚ずつ繰り出すように構成でもよい。
【符号の説明】
【００６９】
12    硬貨処理装置
15    入金部である硬貨投入部
25    収納部である硬貨カセット
40    円板状媒体繰出装置である硬貨繰出装置
43    繰出手段
44    搬送路
45    搬送手段
47    識別部
60    ガイド
65    回転体
67    軸
74    移動部材であるベルト
76    突起部
Ｃ    円板状媒体である硬貨
f1    繰出方向
【図１】
2020112991.tif 000003
【図２】
2020112991.tif 000004
【図３】
2020112991.tif 000005